(57)【特許請求の範囲】
【請求項１】
Ｘ線撮影時に被検者頭部を位置決めするための位置決め手段を具備するＸ線撮影装置において、前記位置決め手段の被検者に接触する部材を中空構造とし、該中空構造内部に被検者ごとに袋状に切り離し可能に連なっている袋状カバーを挿通させ、挿出した袋状カバー先端を外側に折り返すことにより、前記位置決め手段の被検者に接触する部材の外表面を被覆可能にしたことを特徴とするＸ線撮影用位置決め手段の感染防止装置。
【請求項２】
前記袋状カバーを収納する収納手段をＸ線撮影装置に設け、前記位置決め手段と前記収納手段までを前記袋状カバーが挿通可能な挿通孔を設け、開孔部の一方から挿入し、他方から挿出させることを特徴とする請求項１記載のＸ線撮影用位置決め手段の感染防止装置。
【請求項３】
前記位置決め手段から前記収納手段までの一部または全ての区間で前記袋状カバーが挿通可能な挿通孔の経路に沿って開閉可能な構造を有し、前記袋状カバーを容易に収納可能にしたことを特徴とする請求項１記載のＸ線撮影用位置決め手段の感染防止装置。
【請求項４】
前記袋状カバーを予めボビンに巻きつけ、ボビンを回転可能に前記収納手段に保持したことを特徴とする請求項１乃至請求項３いずれか記載のＸ線撮影用位置決め手段の感染防止装置。
【請求項５】
前記袋状カバーを蛇腹状に折り畳み、または渦巻き状に巻いてに折り畳み、収納手段に収納可能にしたことを特徴とする請求項１乃至請求項３いずれか記載のＸ線撮影用位置決め手段の感染防止装置。
【請求項６】
前記位置決め手段がバイトブロック、チンレスト、ヘットサポートのいずれかひとつまたは複数の組合せである請求項１乃至請求項５いずれか記載のＸ線撮影用位置決め手段の感染防止装置。
【請求項７】
Ｘ線撮影時に被検者頭部を固定するための位置決め手段を具備するＸ線撮影装置において、前記位置決め手段の被検者に接触する部材を中空構造とし、該中空構造内部に被検者ごとに袋状に切り離し可能に連なっている袋状カバーを挿通させ、挿出した袋状カバー先端を外側に折り返すことにより、前記被検者に接触する部材の外表面を被覆可能にしたことを特徴とするＸ線撮影用位置決め手段の感染防止方法。
【発明の詳細な説明】
【技術分野】
【０００１】  本発明は、Ｘ線撮影装置、特にパノラマＸ線撮影装置およびＣＴＸ線撮影時に被検者頭部位置決め用として用いられる位置決め手段の感染防止方法および感染防止装置に関するものである。
【背景技術】
【０００２】  パノラマＸ線撮影やＣＴＸ線撮影を行なう際には、Ｘ線撮影装置に対して最適なポジションで被検者が動かないように被検者頭部を位置決めする必要がある。被検者はＸ線撮影装置内に導入されると、被検者の顎の高さにチンレストを合わせるように本体を昇降させ、被検者の顎をチンレストの上にのせ、頭部を額押さえと側頭部押さえからなるヘットサポートで固定して、Ｘ線撮影を開始する。
また、上顎および下顎の前歯が重ならないように撮影するためにバイトブロックを使用する場合がある。この場合チンレストには被検者ごとにバイトブロックを差し込み、被検者にバイトブロックを噛ませてから頭部を額押さえと側頭部押さえで固定して、Ｘ線撮影を開始する。【０００３】  いずれの場合もチンレスト、バイトブロックおよびヘットサポートは被検者と接触するため、被検者間での感染防止対策が必要であった。
チンレストの場合は被検者ごとにアルコールなどで消毒するか、チンレストをチンレスト基台から着脱可能な構造にして消毒していた。
ヘットサポートの場合も被検者ごとにアルコールなどで消毒するか、額押さえと側頭部押さえ部を着脱可能な構造にして消毒していた。
バイトブロックの場合は被検者ごとに使い捨て可能な材質で製作し、被検者ごとに新しいものに交換していた。
【発明の開示】
【発明が解決しようとする課題】
【０００４】  しかしながらチンレストやヘットサポートの場合、被検者ごとにアルコールなどで消毒することは、手間であり被検者にとっても不衛生なイメージを与えるものであった。
またバイトブロックを使用する場合は、その都度バイトブロックを交換することは手間であり、使用済みのバイトブロックを産業廃棄物として廃棄しなければならず、余分なコストを必要とした。
さらに、使用済みのバイトブロックを交換するには唾液が付着している部位を摘んで新しいバイトブロックと交換するため、バイトブロックの交換作業のたびに手袋を交換したり手を消毒したりしなければならなかった。
【課題を解決するための手段】
【０００５】  上記目的を達成するために、本発明について記載する。
請求項１に係るＸ線撮影用位置決め手段の感染防止装置はＸ線撮影時に被検者頭部を固定するための位置決め手段を具備するＸ線撮影装置おいて、前記位置決め手段の被検者に接触する部材を中空構造とし、該中空構造内部に被検者ごとに袋状に切り離し可能に連なっている袋状カバーを挿通させ、挿出した袋状カバー先端を外側に折り返すことにより、前記被検者に接触する部材の外表面を被覆可能にしたことを特徴としている。【０００６】  請求項２に係るＸ線撮影用位置決め手段の感染防止装置は、前記袋状カバーを収納する収納手段を設け、前記位置決め手段と前記収納手段までを前記袋状カバーが挿通可能な挿通孔を設け、開孔部の一方から挿入し、他方から挿出させることを特徴としている。【０００７】  請求項３に係るＸ線撮影用位置決め手段の感染防止装置は、前記位置決め手段から前記収納手段までの一部または全ての区間で前記袋状カバーが挿通可能な挿通孔の経路に沿って開閉可能な構造を有し、前記袋状カバーを容易に収納可能にしたことを特徴としている。【０００８】  請求項４に係るＸ線撮影用位置決め手段の感染防止装置は、前記袋状カバーを予めボビンに巻きつけ、ボビンを回転可能に前記収納手段に保持したことを特徴としている。【０００９】  請求項５に係るＸ線撮影用位置決め手段の感染防止装置は、前記袋状カバーを蛇腹状もしくは渦巻き状に折り畳み、収納手段に収納可能にしたことを特徴としている。【００１０】  請求項６に係るＸ線撮影用位置決め手段の感染防止装置は、前記位置決め手段がバイトブロック、チンレスト、ヘットサポートのいずれかひとつ又は複数の組合せであることを特徴としている。【００１１】  請求項７に係るＸ線撮影用位置決め手段の感染防止方法は、Ｘ線撮影時に被検者頭部を固定するための位置決め手段を具備するＸ線撮影装置において、前記位置決め手段の被検者に接触する部材を中空構造とし、該中空構造内部に被検者ごとに袋状に切り離し可能に連なっている袋状カバーを挿通させ、挿出した袋状カバー先端を外側に折り返すことにより、前記被検者に接触する部材の外表面を被覆可能にしたことを特徴としている。
【発明の効果】
【００１２】  本発明によれば、Ｘ線撮影用位置決め手段の被検者に接触する部材を中空構造とし該中空構造内部に被検者ごとに袋状に切り離し可能に連なっている袋状カバーを挿通させ、挿出した袋状カバー先端を外側に折り返すことにより、前記位置決め手段の外表面を被覆できるため、被検者は直接該位置決め手段に触れることがなくなる。
被検者が接触した袋状カバーは、撮影終了後に接触部を内側にして引き出して切り離すことにより袋ごと廃棄することが可能である。よって衛生士や歯科助手は手を汚すことなく、被検者撮影を行え、従来のように被検者ごとに消毒したり交換したりする必要がない。
さらに袋状カバーの内部は袋ごとに密封構造になるため、袋内部は常に清潔に保たれ、被検者ごとに袋を切り離すことで容易に交換が可能である。よって袋状カバーを一枚ずつ別の袋に入れて収納する必要はない。
以上の理由により本発明は、安全で確実に感染防止を行えるだけでなく、簡単で安価な方法および装置を提供することができる。
【発明を実施するための最良の形態】
【００１３】  以下本発明の最良の形態について図面に基づき説明する。
第１の実施形態について説明する。図１は歯科用パノラマレントゲン装置のチンレスト１８にバイトブロック１を装備した図である。この実施形態では袋状カバーをバイトブロックカバー９として使用した例である。バイトブロック１には図２および図３に示すように、バイトブロックカバー９を挿入できる中空構造の開孔部２を設け、さらにバイトブロック１を設置しているチンレント基台７の内部には予備のバイトブロックカバー９を装備できるよう収納手段５を設け、収納手段５からバイトブロック下端部４までバイトブロックカバー９が挿通できる挿通孔６を設けている（図４）。収納手段５には図６のようにボビン１０に巻かれたバイトブロックカバー９を図５のように着脱可能なボビン軸１１をボビン１０の中心に貫通させて設置し、設置したバイトブロックカバー９の先端は挿通孔６を介してバイトブロック先端部３まで挿出させる。【００１４】  この実施形態では、ボビン１０を使用して、バイトブロック１への送りをスムーズにしたものであるが、バイトブロックカバー９を蛇腹状に折り畳んだり渦巻き状に束にして収納手段に設置し、連続的に引き出すようにしてもよい。【００１５】  本実施形態に使用するバイトブロックカバー９はポリエチレン等の材質からなり、形状は、バイトブロックカバー９の一方は凸形状の手持部１４を設け、他方の斜線で示した箇所は袋状の袋部１７となっている（図８）。また、バイトブロックカバー９は図７のように、手持部１４と袋部１７とが切取線１５の入った状態で連なっており、帯状のバイトブロックカバー帯１３となっている。【００１６】  さらに、図９および図１０に示すように、バイトブロックカバー帯１３の一番先端部分にはバイトブロックカバー９を挿通孔６およびバイトブロック開孔部２内に挿通させるために必要な針金状のカバーガイドバー１２を引っ掛けるためのカバーガイドバー孔１６が設けられており、カバーガイドバー１２をカバーガイドバー孔１６に差込み、収納手段５に設置されたバイトブロックカバー帯１３を挿通孔６を経由してバイトブロック先端部３まで挿通させることができる。【００１７】  図１１はバイトブロック１のバイトブロック先端部３を拡大した断面図であり、カバーガイドバー１２を利用してバイトブロック先端部３まで挿通させたバイトブロックカバー先端部３を切取線１５に沿って切り離し、手持部１４をもって図１１に示すようにバイトブロック１にバイトブロックカバー９を被せるように折り返すことができる。【００１８】  被検者はバイトブロックカバー９で保護されたバイトブロック１を銜えることで、パノラマＸ線撮影装置の被検者位置づけを行え、撮影後に使用済みのバイトブロックカバー９を歯科助手や歯科衛生士が交換する際には、手持部１４を持ってバイトブロックカバー９をバイトブロック先端部３の方向に折り返しながら引き戻すことで、新しいバイトブロックカバー９が引き出される。新しいバイトブロックカバー９が引き出されたら、切取線１５から使用済みのバイトブロックカバー９を切り離し、使用済みのバイトブロックカバー９は捨て、新しいバイトブロックカバー９の手持部１４を持ち、前記作業と同様にバイトブロック１にバイトブロックカバー９を被せるように��り返すことで、容易に交換が行える。【００１９】  バイトブロックカバー９は他方が袋状になっているため、被検者の唾液が次の新しいカバーに伝わることがない。【００２０】  さらに、バイトブロックカバー９には被検者がバイトブロック１を銜える際に、被検者の口腔内に挿入されない手持部１４を設けているため、汚染されたバイトブロックカバー部分を触ることなく、新しいバイトブロックカバーに交換することが可能である。【００２１】  次に第２の実施形態について説明する。第２の実施形態ではバイトブロック１を使用せずにチンレスト１８で顎部を固定して位置付けを行う形態である。この実施形態では袋状カバーをチンレストカバー２３として使用するものである。図１３はチンレスト１８の拡大図であり、この実施形態においても袋状カバーはバイトブロックカバーと同様な袋形状を有し、チンレストカバー２３はチンレスト先端部２８から被検者ごとに引き出して、チンレスト１８を被せるように折り返して使用する。チンレスト内部は中空構造となっており、チンレストカバー２３が挿通可能になっている。またチンレスト部材は図１２のように挿通孔２９に沿って開閉可能な二つ割り構造になっており、チンレスト固定部１９とチンレスト移動部２０とに分かれ、チンレス移動部２０は回転軸２４を中心とした蝶番構造によって回転可能となっている。予備のチンレストカバー２３は予めチンレスト基台７内部の収納手段に蛇腹状に折り畳み、補充可能に収納してある。【００２２】  チンレストカバー２３の取り付けの際は、蛇腹状に折り畳まれた束から引き出されたチンレストカバー２３をチンレスト基台７内に挿通後、開かれたチンレスト移動部２０とチンレスト固定部１９の挿通溝に挟み込むようにチンレスト移動部２０を閉じて図示しない固定ピンでチンレスト固定部１９へ固定させる。本実施形態ではカバーガイドバー１２を使用して挿通孔に通さなくとも容易に予備のカバーの補充が可能となる。
また図１４のように被検者頭部の位置づけのためのヘットサポートである額押さえ２６や側頭部押さえ２７の部材を中空構造にして挿通孔を設け、ヘットサポート機構２１内部に収納手段を設けることで、バイトブロックカバーやチンレストカバーと同様にヘットサポートカバー２５をボビンに巻きつけたり、蛇腹状に折り畳み、ヘットサポート機構２１の収納手段に設置し、額押さえ２６や頭部押さえ２７の挿通孔に挿通して使用することが可能である。
【図面の簡単な説明】
【００２３】
【図１】  本発明の実施形態を示す概略構成図である。
【図２】  本発明の第１の実施形態を示すバイトブロック拡大図。
【図３】  バイトブロックのＡ−Ａ断面図である。
【図４】  本発明の第１の実施形態を示す概略構成図である。
【図５】  バイトブロックカバー設置部拡大図。
【図６】  バイトブロックカバー帯をボビンに設置した概略構成図。
【図７】  バイトブロックカバー構成図
【図８】  バイトブロックカバー構成図
【図９】  バイトブロックカバー構成図
【図１０】  バイトブロックカバーにカバーガイドバー設置した設置図
【図１１】  バイトブロックにバイトブロックカバーを装着した拡大図
【図１２】  本発明の第２の実施形態を示す構成図
【図１３】  チンレストにチンレストカバーを装着した装着図
【図１４】  ヘットサポートにヘットサポートカバーを装着した装着図
【符号の説明】
【００２４】１    バイトブロック
２    開孔部
３    バイトブロック先端部
４    バイトブロック下端
５    収納手段
６    挿通孔
７    チンレスト基台
８    パノラマ装置本体
９    バイトブロックカバー
１０  ボビン
１１  ボビン軸
１２  カバーガイドバー
１３  バイトブロックカバー帯
１４  手持部
１５  切取線
１６  カバーガイドバー
１７  袋部
１８  チンレスト
１９  チンレスト固定部
２０  チンレスト移動部
２１  ヘットサポート機構
２２  ヘットサポート
２３  チンレストカバー
２４  回転軸
２５  ヘットサポートカバー
２６  額押さえ
２７  側頭部押さえ
２８  チンレスト先端部
２９  挿通孔
【図１】
0005128354.tif 000002
【図２】
0005128354.tif 000003
【図３】
0005128354.tif 000004
【図４】
0005128354.tif 000005
【図５】
0005128354.tif 000006
【図６】
0005128354.tif 000007
【図７】
0005128354.tif 000008
【図８】
0005128354.tif 000009
【図９】
0005128354.tif 000010
【図１０】
0005128354.tif 000011
【図１１】
0005128354.tif 000012
【図１２】
0005128354.tif 000013
【図１３】
0005128354.tif 000014
【図１４】
0005128354.tif 000015